(57)【特許請求の範囲】
【請求項１】
下外装ケース内に、羽根車を収納するとともに、樹脂製の調整器ホルダを介してカップ状の金属ケースを収納し、その金属ケース内に遮水して指示機構を備え、その指示機構を被う窓ガラスを介して前記下外装ケースに上外装ケースを取り付けてなり、前記羽根車の回転をマグネットカップリングにより前記指示機構のマグネット歯車に伝達し、その指示機構で流量を積算表示する乾式水道メータにおいて、
前記金属ケースの少なくとも底面に前記調整器ホルダとはまり合う凹凸を形成し、その凹凸位置で、前記調整器ホルダに調整器を取り付ける一方、
前記金属ケースに、前記羽根車の軸受部とともに、前記マグネット歯車の軸受部を形成してなる、乾式水道メータ。
【請求項２】
前記金属ケースを非磁性材料で形成してなる、請求項１に記載の乾式水道メータ
【請求項３】
前記金属ケースの側面にも、前記調整器ホルダとはまり合う凹凸を形成してなる、請求項１、または２に記載の乾式水道メータ
【請求項４】
前記金属ケースに形成した前記羽根車および前記マグネット歯車の軸受部を、前記金属ケースの他の部分より厚肉に形成してなる、請求項１、２、または３に記載の乾式水道メータ。
【請求項５】
前記金属ケースに形成した前記羽根車および前記マグネット歯車の軸受部の摩擦係数を、前記金属ケースの他の部分の摩擦係数より小さく形成してなる、請求項１、２、３、または４に記載の乾式水道メータ。
【請求項６】
前記調整器ホルダを、前記羽根車の車軸を貫通する逃げ孔を中心に有する円板状の底板部と、その周囲から立ち上がる複数の支柱部と、それら支柱部の先端を連結するリング部とで構成してなる、請求項１、２、３、４、または５に記載の乾式水道メータ。
【請求項７】
前記下外装ケースに対して前記調整器ホルダの回転方向位置を定める位置決め手段を備えてなる、請求項１、２、３、４、５、または６に記載の乾式水道メータ。
【請求項８】
前記下外装ケースの上部周囲と前記金属ケースの周縁とで第１のパッキンを挟み、前記金属ケースの周縁と前記窓ガラスの裏面周縁とで第２のパッキンを挟んでそれらの間を液密に保持してなる、請求項１、２、３、４、５、６、または７に記載の乾式水道メータ。
【発明の詳細な説明】
【０００１】
【発明の属する技術分野】
この発明は、下外装ケース内に、羽根車を収納するとともに、指示機構を備えるケースを収納し、上外装ケースを取り付けて液密に保持してなり、羽根車の回転をマグネットカップリングにより指示機構のマグネット歯車に伝達し、その指示機構で流量を積算表示する乾式水道メータに関する。
【０００２】
【従来の技術】
従来、この種の乾式ガスメータの中には、指示機構を樹脂製ケース内に備えて下外装ケース内に収納し、指示機構を被う窓ガラスを介して下外装ケースに上外装ケースを取り付けるものがある。
【０００３】
ところが、このような乾式水道メータでは、時間の経過とともに水が浸透して樹脂製ケース内に入り込み、たとえば窓ガラスの内面に結露を生じ、指示機構による表示の読み取りが困難となる問題があった。
【０００４】
このため、従来の乾式水道メータの中には、たとえば図１０に示すように、樹脂製ケース１内にカップ状の金属ケース２を設け、その金属ケース２内に遮水して指示機構３を備え、その指示機構３を被う窓ガラス４を介して下外装ケース５に上外装ケース６を取り付けるようにしたものがある。
【０００５】
そして、羽根車７の回転を、マグネットカップリングにより指示機構３のマグネット歯車８に伝達し、その指示機構３で流量を積算表示する。これにより、金属ケース２で遮水して樹脂製ケース１内に水が入り込むことを阻止し、指示機構による表示の読み取りが困難となる問題を解消していた（特開平１１―９０４５５２号公報参照）。
【０００６】
【発明が解決しようとする課題】
しかしながら、このような乾式水道メータにあっても、
▲１▼  水圧に耐え得るように樹脂製ケース１の肉厚を増すと、マグネットカップリングが弱くなり、瞬間的に大流量の水が流れると、カップリングが外れて計量誤差を生ずる
【０００７】
▲２▼  瞬間的に大流量の水が流れた場合にも、マグネット歯車８が確実に追従するようにマグネットカップリングの磁気結合力を高めると、回転負荷が大きくなってメータ性能が低下する
【０００８】
▲３▼  また、水圧に耐え得るように樹脂製ケース１の肉厚を増すと、その分、内部に備える指示機構３が小さくなり、指示機構３の表示が読み取りにくくなる
【０００９】
▲４▼  樹脂製ケース１の肉厚を増すことなく、水圧に耐え得るように樹脂製ケースをガラス繊維入りとすると、樹脂製ケースのリサイクル使用が困難となる
問題があった。
【００１０】
そこで、この発明の課題は、マグネットカップリングが外れたり、回転負荷が大きくなってメータ性能が低下したり、指示機構が小さくなって表示が読み取りにくくなったりするおそれをなくし、使用部品のリサイクル使用も容易とすることにある。
【００１１】
この発明の第２の課題は、外部磁力の影響を受けないようにすることにある。
【００１２】
この発明の第３の課題は、指示機構を備えるケースの強度を増してケースの肉厚をより薄くつくることを可能とし、指示機構を大きくしてその表示を読み取りやすくすることにある。
【００１３】
この発明の第４の課題は、特に水圧の加わる部分の強度を高めて、指示機構を備えるケースの耐久性を向上することにある。
【００１４】
この発明の第５の課題は、回転負荷をより小さくしてメータ性能を向上することにある。
【００１５】
この発明の第６の課題は、指示機構を備えるケースの制作を容易とし、組付けを容易とすることにある。
【００１６】
この発明の第７の課題は、たとえば下外装ケースに対して上外装ケースを取り付けるとき、下外装ケースに対する指示機構の回転方向位置がずれることを防止することにある。
【００１７】
この発明の第８の課題は、水道メータの防水性を確実にすることにある。
【００１８】
【課題を解決するための手段】
そのため、この発明は、上述したこの発明の課題を達成すべく、
下外装ケース内に、羽根車を収納するとともに、樹脂製の調整器ホルダを介してカップ状の金属ケースを収納し、その金属ケース内に遮水して指示機構を備え、その指示機構を被う窓ガラスを介して下外装ケースに上外装ケースを取り付けてなり、羽根車の回転をマグネットカップリングにより指示機構のマグネット歯車に伝達し、その指示機構で流量を積算表示する乾式水道メータにおいて、
金属ケースの少なくとも底面に調整器ホルダとはまり合う凹凸を形成し、その凹凸位置で、調整器ホルダに調整器を取り付ける一方、
金属ケースに、羽根車の軸受部とともに、マグネット歯車の軸受部を形成してなる、ことを特徴とする。
【００１９】
請求項２に記載の発明は、そのような乾式水道メータにおいて、上述した第２の課題を達成すべく、金属ケースを非磁性材料で形成してなる、ことを特徴とする。
【００２０】
請求項３に記載の発明は、そのような乾式水道メータにおいて、上述した第３の課題を達成すべく、金属ケースの側面にも、調整器ホルダとはまり合う凹凸を形成してなる、ことを特徴とする。
【００２１】
請求項４に記載の発明は、そのような乾式水道メータにおいて、上述した第４の課題を達成すべく、金属ケースに形成した羽根車およびマグネット歯車の軸受部を、金属ケースの他の部分より厚肉に形成してなる、ことを特徴とする。
【００２２】
請求項５に記載の発明は、そのような乾式水道メータにおいて、上述した第５の課題を達成すべく、金属ケースに形成した羽根車およびマグネット歯車の軸受部の摩擦係数を、金属ケースの他の部分の摩擦係数より小さく形成してなる、ことを特徴とする。
【００２３】
請求項６に記載の発明は、そのような乾式水道メータにおいて、上述した第６の課題を達成すべく、調整器ホルダを、羽根車の車軸を貫通する逃げ孔を中心に有する円板状の底板部と、その周囲から立ち上がる複数の支柱部と、それら支柱部の先端を連結するリング部とで構成してなる、ことを特徴とする。
【００２４】
請求項７に記載の発明は、そのような乾式水道メータにおいて、上述した第７の課題を達成すべく、下外装ケースに対して調整器ホルダの回転方向位置を定める位置決め手段を備えてなる、ことを特徴とする。
【００２５】
請求項８に記載の発明は、そのような乾式水道メータにおいて、上述した第８の課題を達成すべく、下外装ケースの上部周囲と金属ケースの周縁とで第１のパッキンを挟み、金属ケースの周縁と窓ガラスの裏面周縁とで第２のパッキンを挟んでそれらの間を液密に保持してなる、ことを特徴とする。
【００２６】
【発明の実施の形態】
以下、図面を参照しつつ、この発明の実施の形態につき詳細に説明する。
図１には、この発明による乾式水道メータの中央縦断面を示す。
【００２７】
図中符号１０は、下外装ケースである。下外装ケース１０内には、上外装ケース１２をねじ付ける。上外装ケース１２には、支軸１４を中心としてフタ１６を開閉可能に取り付ける。
【００２８】
下外装ケース１０には、流入口１０ａと流出口１０ｂとを互いに逆向きに突出して備え、内部に計量室Ａを形成してなる。そして、流入口１０ａ内にはストレーナ１８を設け、計量室Ａ内には中央にピボット２０を立ててそのピボット２０で回転自在に支持して羽根車２２を収納してなる。羽根車２２の車軸２２ａの上端には、磁石２４を取り付けている。
【００２９】
下外装ケース１０内には、また、計量室Ａ上に、調整器ホルダ２６を介してカップ状の金属ケース２８を収納する。
【００３０】
調整器ホルダ２６は、樹脂材料でつくり、図２に示すように、羽根車２２の車軸２２ａを貫通する逃げ孔３０ａを中心に有する円板状の底板部３０と、その周囲から立ち上がる４つの支柱部３２と、それら支柱部３２の先端を連結するリング部３４とで構成してなる。
【００３１】
底板部３０には、内面に、対向する支柱部３２間を結ぶように径方向にのびるリブ３０ｂを、上向きに突出して十字型に形成する。その１本のリブ３０ｂには、逃げ孔３０ａを中心として対称な位置に、各々軸孔３０ｃとビス孔３０ｄとを設ける。
【００３２】
底板部３０の外面には、器差調整用の固定リブ３０ｅを径方向に形成する。また、図１に示すように軸孔３０ｃに係合軸３６をはめ込み、ビス孔３０ｄに固定ビス３８をねじ込んで、器差調整用のＬ字型の可動調整器４０を２つ取り付ける。調整器４０には図３に示すように円弧孔４０ａをあけ、その円弧孔４０ａに固定ビス３８を通してなる。
【００３３】
調整器４０は、図３に示すように、目盛４２に合わせて係合軸３６を中心として回動調整し、その回動調整後の位置を固定ビス３８をねじ込むことにより固定する。
【００３４】
ところで、調整器ホルダ２６のリング部３４には、外周の一部に係合凹部３４ａを形成する。そして、下外装ケース１０の段部１０ｃ上にリング部３４を乗せて下外装ケース１０内に調整器ホルダ２６を挿入したとき、段部１０ｃ上に立てた軸状の位置決め部材４４を係合凹部３４ａ内に入れ、下外装ケース１０に対して調整器ホルダ２６の回転方向位置を定める。
【００３５】
一方、金属ケース２８は、ステンレスなどのリサイクル可能な非磁性材料でつくり、図４に示すように、底面中央に、調整器ホルダ２６の逃げ孔３０ａと対応して、内向きに膨らませて軸受部２８ａを形成する。
【００３６】
その軸受部２８ａは、金属ケース２８の他の部分より肉厚に形成し、また研磨したり低摩擦部材を塗布したりして摩擦係数を、金属ケース２８の他の部分の摩擦係数より小さく形成するとよい。
【００３７】
また、金属ケース２８は、底面に、調整器ホルダ２６のリブ３０ｂと対応して、そのリブ３０ｂとはまり合う凹凸２８ｂを十字型に形成する。図示例では、それらの凹凸２８ｂの先端からそのまま延長して立ち上げ、金属ケース２８の側面にも、支柱部３２と対応して、それらの支柱部３２とはまり合う凹凸２８ｃを形成する。
【００３８】
金属ケース２８内には、遮水して指示機構５０を備える。指示機構５０には、下向きに磁石５２を取り付けたマグネット歯車５４、そのマグネット歯車５４の回転を伝達する歯車列５６、その歯車列５６を構成する歯車の車軸が貫通する上台板５８、その上台板５８を貫通する車軸先端に取り付けて流量の大きな桁を積算表示する指針６０、歯車列５６を介して回転を伝達して流量の小さな桁を積算表示する数字車６２を備える。そして、その指示機構５０全体を窓ガラス６４で被う。
【００３９】
そして、下外装ケース１０の上部周囲と金属ケース２８の周縁とで第１のパッキン６６を挟むとともに、金属ケース２８の周縁と窓ガラス６４の裏面周縁とで第２のパッキン６８を挟んで、また窓ガラス６４の表面周縁と上外装ケース１２とで第３のパッキン７０を挟んで、下外装ケース１０に上外装ケース１２を取り付け、それらのパッキン６６・６７・６８を圧縮してそれらの間を液密に保持する。
【００４０】
これにより、いま流入口１０ａから下外装ケース１０内に水を入れ、計量室Ａを通って流出口１０ｂから排出すると、水量に応じて計量室Ａ内の羽根車２２が回転する。羽根車２２の回転は、磁石２４と磁石５２のマグネットカップリングにより指示機構５０のマグネット歯車５４に伝達する。
【００４１】
そして、そのマグネット歯車５４の回転を歯車列５６を介して伝達し、上台板５８上において指針６０および数字車６２で流量を積算表示する。その表示は、フタ１６を開けることにより、窓ガラス６４を通して確認することができる。
【００４２】
ところで、上述した図示例では、樹脂製の調整器ホルダ２６を、底板部３０と、４つの支柱部３２と、リング部３４とで構成した。しかし、たとえば図５に示すように、支柱部３２の先端を連結するリング部３４に代えて、支柱部３２の先に円弧部７２を設ける。そして、その１の円弧部７２の外周に、位置決め部材４４が入る係合凹部３４ａを形成するようにしてもよい。
【００４３】
また、金属ケース２８には、調整器ホルダ２６のリブ３０ｂと対応して十字型の凹凸２８ｂを形成するとともに、それらの凹凸２８ｂの先端からそのまま延長して立ち上げ、金属ケース２８の側面にも、支柱部３２と対応して凹凸２８ｃを形成する。しかし、これに限らず、図６に示すように金属ケース２８の側面に形成する凹凸２８ｃを底面の凹凸２８ｂに関係なく増やしてもよいし、図７に示すように底面に形成する凹凸２８ｂを側面の凹凸２８ｃに関係なく増やしてもよい。
【００４４】
また、リブ状の凹凸に限らず、図８に示すように円形の凹凸２８ｂでもよいし、図９に示すように軸受部２８ａと同心円状の凹凸２８ｂでもよい。図示例では、すべて内面側に膨らむ例を示すが、凹凸２８ｂ・２８ｃを外面側に膨らむように形成してもよい。
【００４５】
【発明の効果】
以上説明したとおり、この発明によれば、下外装ケース内にカップ状の金属ケースを収納し、その金属ケース内に遮水して指示機構を備えるから、時間の経過によっても水が浸透して金属ケース内に入り込むおそれをなくし、たとえば窓ガラスの内面に結露を生じて指示機構による表示の読み取りが困難となるなどの問題が生ずるおそれを解消し、指示機構による表示を常に読み取りやすく保持することができる。
【００４６】
また、金属ケースの少なくとも底面には調整器ホルダとはまり合う凹凸を形成して補強する一方、金属ケース自体に、羽根車の軸受部とともに、マグネット歯車の軸受部を形成するから、樹脂製ケースを不要として羽根車とマグネット歯車間の距離を近付け、マグネットカップリングが外れたり、マグネットカップリングの磁気結合力を強くすることで回転負荷が大きくしてメータ性能を低下したりするおそれをなくすことができる。
【００４７】
さらに、樹脂製ケースを不要として金属ケースのみとするから、指示機構が小さくなって表示が読み取りにくくなったりするおそれをなくし、指示機構を大きくして表示を見やすくすることができる。
【００４８】
またさらに、調整器ホルダとはまり合う凹凸位置で、調整器ホルダに調整器を取り付け、特に水圧が加わる調整器を金属ケースと調整器ホルダの重ね合わせ部分で保持するから、強度を確保し、ガラス繊維入りの樹脂を用いる必要をなくして使用部品のリサイクル使用も容易とすることができる。
【００４９】
請求項２に係る発明によれば、さらに、金属ケースを非磁性材料で形成するから、外部磁力の影響を受けないようにすることができる。
【００５０】
請求項３に係る発明によれば、金属ケースの側面にも、調整器ホルダとはまり合う凹凸を形成するから、指示機構を備えるケースの強度を一層増して金属ケースの肉厚をより薄くつくることを可能とし、指示機構を大きくしてその表示を読み取りやすくすることができる。
【００５１】
請求項４に係る発明によれば、金属ケースに形成した羽根車およびマグネット歯車の軸受部を、金属ケースの他の部分より厚肉に形成するから、特に水圧の加わる部分の強度を高めて、指示機構を備える金属ケースの耐久性を向上することができる。
【００５２】
請求項５に係る発明によれば、金属ケースに形成した羽根車およびマグネット歯車の軸受部の摩擦係数を、金属ケースの他の部分の摩擦係数より小さく形成するから、回転負荷をより小さくしてメータ性能を向上することができる。
【００５３】
請求項６に係る発明によれば、調整器ホルダを、羽根車の車軸を貫通する逃げ孔を中心に有する円板状の底板部と、その周囲から立ち上がる複数の支柱部と、それら支柱部の先端を連結するリング部とで構成するから、指示機構を備えるケースの制作を容易とし、組付けを容易とすることができる。
【００５４】
請求項７に係る発明によれば、下外装ケースに対して調整器ホルダの回転方向位置を定める位置決め手段を備えるから、たとえば下外装ケースに対して上外装ケースを取り付けるとき、下外装ケースに対する指示機構の回転方向位置がずれることを防止することができる。
【００５５】
請求項８に係る発明によれば、下外装ケースの上部周囲と金属ケースの周縁とで第１のパッキンを挟み、金属ケースの周縁と窓ガラスの裏面周縁とで第２のパッキンを挟んでそれらの間を液密に保持するから、水道メータの防水性を確実にすることができる。
【図面の簡単な説明】
【図１】この発明による乾式水道メータの中央縦断面図である。
【図２】その乾式水道メータで用いる調整器ホルダで、（Ａ）は平面図、（Ｂ）は中央縦断面図、（Ｃ）は底面図である。
【図３】調整器を取り付け後のその調整器ホルダの底面図である。
【図４】その乾式水道メータで用いる金属ケースで、（Ａ）は平面図、（Ｂ）はその中央縦断面図、（Ｃ）は底面図である。
【図５】調整器ホルダの他例を示すもので、（Ａ）は平面図、（Ｂ）はその部分正面図である。
【図６】金属ケースの他例の平面図である。
【図７】金属ケースのさらに他例の平面図である。
【図８】金属ケースのまたさらに他例を示すもので、（Ａ）は平面図、（Ｂ）はそのＢ−Ｂ線に沿う底部の縦断面図である。
【図９】金属ケースのさらにまた他例を示すもので、（Ａ）は平面図、（Ｂ）はその底部の中央縦断面図である。
【図１０】従来の乾式水道メータの中央縦断面図である。
【符号の説明】
１０    下外装ケース
１０ｃ  段部
１２    上外装ケース
２２    羽根車
２４    磁石
２６    調整器ホルダ
２８    金属ケース
２８ａ  軸受部
２８ｂ  底面の凹凸
２８ｃ  側面の凹凸
３０    底板部
３０ａ  逃げ孔
３０ｂ  リブ
３２    支柱部
３４    リング部
３４ａ  係合凹部（位置決め手段）
４０    調整器
４４    位置決め部材（位置決め手段）
５０    指示機構
５２    磁石
５４    マグネット歯車
６４    窓ガラス
６６    第１のパッキン
６８    第２のパッキン
Ａ      計量室
【図１】
0004345998.tif 000002
【図２】
0004345998.tif 000003
【図３】
0004345998.tif 000004
【図４】
0004345998.tif 000005
【図５】
0004345998.tif 000006
【図６】
0004345998.tif 000007
【図７】
0004345998.tif 000008
【図８】
0004345998.tif 000009
【図９】
0004345998.tif 000010
【図１０】
0004345998.tif 000011